【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により得られる被写体画像から、ストロボ発光をさせて撮影を行うべき第１の撮影シーンまたは連続撮影を行うべき第２の撮影シーンをそれぞれ撮影シーンとして検出する検出手段と、
前記検出手段により検出された撮影シーンに応じて、ストロボ発光またはストロボ非発光のいずれとするか、及び、連続撮影または一枚撮影のいずれとするかを制御モードとして設定して撮影を制御する制御手段とを有し、
前記制御手段は、
前記検出手段により前記第１の撮影シーンが検出され且つ前記第２の撮影シーンが検出されない場合は前記制御モードをストロボ発光且つ一枚撮影に設定し、
前記検出手段により前記第１の撮影シーンが検出されず且つ前記第２の撮影シーンが検出された場合は前記制御モードをストロボ非発光且つ連続撮影に設定し、
前記検出手段により前記第１の撮影シーン及び前記第２の撮影シーンが共に検出された場合は前記制御モードをストロボ発光且つ一枚撮影に設定することを特徴とする撮像装置。
【請求項２】
撮像手段と、
前記撮像手段により得られる被写体画像から、ストロボ発光をさせて撮影を行うべき第１の撮影シーンまたは連続撮影を行うべき第２の撮影シーンをそれぞれ撮影シーンとして検出する検出手段と、
前記検出手段により前記第１の撮影シーン及び前記第２の撮影シーンが共に検出された場合に連続撮影における連写枚数及びコマ速を設定する設定手段と、
前記設定手段により設定された連写枚数及びコマ速でのストロボ発光を用いた連続撮影が実現可能か否かを判定する判定手段と、
前記検出手段により検出された撮影シーンに応じて、ストロボ発光またはストロボ非発光のいずれとするか、及び、連続撮影または一枚撮影のいずれとするかを制御モードとして設定して撮影を制御する制御手段とを有し、
前記制御手段は、
前記検出手段により前記第１の撮影シーンが検出され且つ前記第２の撮影シーンが検出されない場合は前記制御モードをストロボ発光且つ一枚撮影に設定し、
前記検出手段により前記第１の撮影シーンが検出されず且つ前記第２の撮影シーンが検出された場合は前記制御モードをストロボ非発光且つ連続撮影に設定し、
前記検出手段により前記第１の撮影シーン及び前記第２の撮影シーンが共に検出された場合においては、前記判定手段により、前記設定された連写枚数及びコマ速でのストロボ発光を用いた連続撮影が実現可能と判定されたときは前記制御モードをストロボ発光且つ連続撮影に設定し、前記設定された連写枚数及びコマ速でのストロボ発光を用いた連続撮影が実現不可能と判定されたときは前記制御モードをストロボ発光且つ一枚撮影に設定することを特徴とする撮像装置。
【請求項３】
前記判定手段は、外部ストロボが利用可能な場合は、前記設定された連写枚数及びコマ速でのストロボ発光を用いた連続撮影が実現可能と判定し、外部ストロボが利用不可能な場合は、前記設定された連写枚数及びコマ速でのストロボ発光を用いた連続撮影が実現不可能と判定することを特徴とする請求項２記載の撮像装置。
【請求項４】
前記判定手段は、前記設定されたコマ速とストロボ発光のための充電に要する時間とに基づいて、前記設定された連写枚数及びコマ速でのストロボ発光を用いた連続撮影が実現可能か否かを判定することを特徴とする請求項２記載の撮像装置。
【請求項５】
前記判定手段は、前記設定された連写枚数とストロボ発光のための充電電圧とに基づいて、前記設定された連写枚数及びコマ速でのストロボ発光を用いた連続撮影が実現可能か否かを判定することを特徴とする請求項２記載の撮像装置。
【請求項６】
撮像手段と、
前記撮像手段により得られる被写体画像から、ストロボ発光をさせて撮影を行うべき第１の撮影シーンまたは連続撮影を行うべき第２の撮影シーンをそれぞれ撮影シーンとして検出する検出手段と、
前記検出手段により検出された撮影シーンに応じて、ストロボ発光またはストロボ非発光のいずれとするか、及び、連続撮影または一枚撮影のいずれとするかを制御モードとして設定して撮影を制御する制御手段とを有し、
前記検出手段は、前記得られる被写体画像の露出値が第１の露出閾値を下回る場合は、前記第１の撮影シーンであることを検出し、
前記制御手段は、
前記検出手段により前記第１の撮影シーンが検出され且つ前記第２の撮影シーンが検出されない場合は前記制御モードをストロボ発光且つ一枚撮影に設定し、
前記検出手段により前記第１の撮影シーンが検出されず且つ前記第２の撮影シーンが検出された場合は前記制御モードをストロボ非発光且つ連続撮影に設定し、
前記検出手段により前記第１の撮影シーン及び前記第２の撮影シーンが共に検出された場合においては、前記得られる被写体画像の露出値が前記第１の露出閾値より低い第２の露出閾値を下回るときは前記制御モードをストロボ発光且つ一枚撮影に設定し、前記得られる被写体画像の露出値が前記第２の露出閾値を下回らないときは前記制御モードをストロボ非発光且つ連続撮影に設定することを特徴とする撮像装置。
【請求項７】
前記撮影シーンに関する表示を行う表示手段を有し、前記表示手段は、前記制御手段によって前記制御モードがストロボ発光に設定された場合においては、前記検出手段により前記第１の撮影シーン及び前記第２の撮影シーンが共に検出された場合であっても、前記撮影シーンが前記第１の撮影シーンである旨を表示することを特徴とする請求項１〜６のいずれか１項に記載の撮像装置。
【請求項８】
撮像手段により得られる被写体画像から、ストロボ発光をさせて撮影を行うべき第１の撮影シーンまたは連続撮影を行うべき第２の撮影シーンをそれぞれ撮影シーンとして検出する検出ステップと、
前記検出ステップにより検出された撮影シーンに応じて、ストロボ発光またはストロボ非発光のいずれとするか、及び、連続撮影または一枚撮影のいずれとするかを制御モードとして設定して撮影を制御する制御ステップとを有し、
前記制御ステップは、
前記検出ステップにより前記第１の撮影シーンが検出され且つ前記第２の撮影シーンが検出されない場合は前記制御モードをストロボ発光且つ一枚撮影に設定し、
前記検出ステップにより前記第１の撮影シーンが検出されず且つ前記第２の撮影シーンが検出された場合は前記制御モードをストロボ非発光且つ連続撮影に設定し、
前記検出ステップにより前記第１の撮影シーン及び前記第２の撮影シーンが共に検出された場合は前記制御モードをストロボ発光且つ一枚撮影に設定することを特徴とする撮像装置の制御方法。
【請求項９】
撮像手段により得られる被写体画像から、ストロボ発光をさせて撮影を行うべき第１の撮影シーンまたは連続撮影を行うべき第２の撮影シーンをそれぞれ撮影シーンとして検出する検出ステップと、
前記検出ステップにより前記第１の撮影シーン及び前記第２の撮影シーンが共に検出された場合に連続撮影における連写枚数及びコマ速を設定する設定ステップと、
前記設定ステップにより設定された連写枚数及びコマ速でのストロボ発光を用いた連続撮影が実現可能か否かを判定する判定ステップと、
前記検出ステップにより検出された撮影シーンに応じて、ストロボ発光またはストロボ非発光のいずれとするか、及び、連続撮影または一枚撮影のいずれとするかを制御モードとして設定して撮影を制御する制御ステップとを有し、
前記制御ステップは、
前記検出ステップにより前記第１の撮影シーンが検出され且つ前記第２の撮影シーンが検出されない場合は前記制御モードをストロボ発光且つ一枚撮影に設定し、
前記検出ステップにより前記第１の撮影シーンが検出されず且つ前記第２の撮影シーンが検出された場合は前記制御モードをストロボ非発光且つ連続撮影に設定し、
前記検出ステップにより前記第１の撮影シーン及び前記第２の撮影シーンが共に検出された場合においては、前記判定ステップにより、前記設定された連写枚数及びコマ速でのストロボ発光を用いた連続撮影が実現可能と判定されたときは前記制御モードをストロボ発光且つ連続撮影に設定し、前記設定された連写枚数及びコマ速でのストロボ発光を用いた連続撮影が実現不可能と判定されたときは前記制御モードをストロボ発光且つ一枚撮影に設定することを特徴とする撮像装置の制御方法。
【請求項１０】
撮像手段により得られる被写体画像から、ストロボ発光をさせて撮影を行うべき第１の撮影シーンまたは連続撮影を行うべき第２の撮影シーンをそれぞれ撮影シーンとして検出する検出ステップと、
前記検出ステップにより検出された撮影シーンに応じて、ストロボ発光またはストロボ非発光のいずれとするか、及び、連続撮影または一枚撮影のいずれとするかを制御モードとして設定して撮影を制御する制御ステップとを有し、
前記検出ステップは、前記得られる被写体画像の露出値が第１の露出閾値を下回る場合は、前記第２の撮影シーンであることを検出し、
前記制御ステップは、
前記検出ステップにより前記第１の撮影シーンが検出され且つ前記第２の撮影シーンが検出されない場合は前記制御モードをストロボ発光且つ一枚撮影に設定し、
前記検出ステップにより前記第１の撮影シーンが検出されず且つ前記第２の撮影シーンが検出された場合は前記制御モードをストロボ非発光且つ連続撮影に設定し、
前記検出ステップにより前記第１の撮影シーン及び前記第２の撮影シーンが共に検出された場合においては、前記得られる被写体画像の露出値が前記第１の露出閾値より低い第２の露出閾値を下回るときは前記制御モードをストロボ発光且つ一枚撮影に設定し、前記得られる被写体画像の露出値が前記第２の露出閾値を下回らないときは前記制御モードをストロボ非発光且つ連続撮影に設定することを特徴とする撮像装置の制御方法。